(57)【要約】【課題】  不要な帯域幅の浪費を無くし、高価の放送装備を使用せずに小規模のＳＯ(System Operator)やＯＮＵ(Optical Network Unit)でＭＰＴＳからＳＰＴＳを分離できるデジタル放送システムのＭＰＴＳ−ＳＰＴＳ分離装置を提供する。【解決手段】  受信インタフェース部110、MPTS-SPTS分離部100及び送信インタフェース部140を含む。該分離部100は、デジタル放送プログラム・プロバイダから提供されるMPEG-2 MPTSデータからＰＡＴパケットを検出し、MPEG-2 MPTSパケット内に存在する複数のプログラムに該当するＰＭＴのＰＩＤ(Program ID)を解析し、使用者により選択された一のプログラム情報を受信し、該選択されたプログラムを除く他の全てのプログラムに関するパケットを除去し、選択されたプログラムに関するＰＭＴのＰＩＤのみを残して他のプログラムに関するＰＩＤを削除することでＰＡＴを変更し、選択された一のプログラムに対応するストリームに挿入する。【選択図】  図３
2005057762.tif 000002
【特許請求の範囲】
【請求項１】
デジタル放送システムでのＭＰＴＳ−ＳＰＴＳ分離装置であって、
デジタル放送プログラム・プロバイダから供給される複数のプログラムが統合されたＭＰＥＧ−２ ＭＰＴＳ(Multiple Program Transport Streams)を受信する受信インタフェース部と、
前記受信インタフェース部から供給されるＭＰＥＧ−２ ＭＰＴＳデータからＰＡＴパケットを検出し、ＭＰＥＧ−２ ＭＰＴＳパケット内に存在する複数のプログラムに該当するＰＭＴ(Program Map Table)のＰＩＤ(Program ID)を解析し、使用者により選択された一のプログラム情報を受信し、当該選択されたプログラム以外の他の全てのプログラムに関するパケットを除去し、前記ＰＡＴから、当該選択されたプログラムに関するＰＭＴのＰＩＤのみを残して他のプログラムに関するＰＩＤを削除することによりＰＡＴを変更し、変更後のＰＡＴを当該選択された一のプログラムに対応するストリームに挿入するＭＰＴＳ−ＳＰＴＳ分離部と、
前記ＭＰＴＳ−ＳＰＴＳ分離部から出力されるＳＰＴＳを送信する送信インタフェース部と、
を含むことを特徴とするＭＰＴＳ−ＳＰＴＳ分離装置。
【請求項２】
前記ＭＰＴＳ−ＳＰＴＳ分離部は、
受信インタフェース部から供給されるＭＰＥＧ−２ ＭＰＴＳデータでＰＡＴパケットを検出するＰＡＴ抽出／パース部と、
前記ＭＰＥＧ−２パケット内に存在する複数のプログラムに該当するＰＭＴのＰＩＤ(Program ID)を解析するＰＭＴ抽出／パース部と、
使用者により選択された一のプログラムの情報を受信するＰＭＴフィルタリング／選択部と、
当該選択されたプログラム以外の他の全てのプログラムに関するパケットを除去するパケット終端部(Packet Terminator)と、
前記ＰＡＴから、前記選択された一のプログラムに関するＰＭＴのＰＩＤのみを残して他のプログラムに関するＰＩＤを削除することによりＰＡＴを変更し、変更後のＰＡＴを当該選択された一のプログラムに対応したストリームに挿入するＰＡＴ挿入部と
を含むことを特徴とする請求項１に記載のＭＰＴＳ−ＳＰＴＳ分離装置。
【請求項３】
前記ＭＰＴＳ−ＳＰＴＳ分離装置は、ＦＰＧＡ(Field Programmable Gate Array)を用いて具現化（implemented）されること
を特徴とする請求項２に記載のＭＰＴＳ−ＳＰＴＳ分離装置。
【請求項４】
前記除去されるパケットは、ビデオ、オーディオ又はデータパケットであること
を特徴とする請求項２に記載のＭＰＴＳ−ＳＰＴＳ分離装置。
【請求項５】
前記ＭＰＴＳ−ＳＰＴＳ分離装置は、ＶＯＤ(Video On Demand)放送、公衆波放送及び衛星放送のうち少なくとも一つを受信するＣＡＴＶ(Cable Television)放送局の一部であること
を特徴とする請求項２に記載のＭＰＴＳ−ＳＰＴＳ分離装置。
【請求項６】
前記ＭＰＴＳ−ＳＰＴＳ分離装置は、ＶＯＤ(Video On Demand)放送、公衆波放送及び衛星放送のうち少なくとも一つを受信するＯＬＴ(Optical Line Termination)の一部であること
を特徴とする請求項２に記載のＭＰＴＳ−ＳＰＴＳ分離装置。
【請求項７】
前記ＰＡＴ抽出／パース部は、ＭＰＴＳパケットのオーバーヘッドのＰＩＤ(Packet Identification)を参照してＰＡＴパケットであるかを識別すること
を特徴とする請求項２に記載のＭＰＴＳ−ＳＰＴＳ分離装置。
【請求項８】
前記ＰＡＴ抽出／パース部からのＭＰＥＧ−２ ＭＰＴＳパケットの解析結果を受信して表示し、前記一のプログラムの情報を受信すると、該受信情報を前記ＰＭＴフィルタリング／選択部に供給する使用者インタフェース部をさらに含むこと
を特徴とする請求項２に記載のＭＰＴＳ−ＳＰＴＳ分離装置。
【請求項９】
前記ＭＰＴＳ−ＳＰＴＳ分離装置は、ＦＰＧＡ(Field Programmable Gate Array)を用いて具現化（implemented）されること
を特徴とする請求項８に記載のＭＰＴＳ−ＳＰＴＳ分離装置。
【請求項１０】
前記除去されるパケットは、ビデオ、オーディオ又はデータパケットであること
を特徴とする請求項８に記載のＭＰＴＳ−ＳＰＴＳ分離装置。
【請求項１１】
前記ＭＰＴＳ−ＳＰＴＳ分離装置は、ＶＯＤ(Video On Demand)放送、公衆波放送及び衛星放送のうち少なくとも一つを受信するＣＡＴＶ(Cable Television)放送局の一部であること
を特徴とする請求項８に記載のＭＰＴＳ−ＳＰＴＳ分離装置。
【請求項１２】
前記ＭＰＴＳ−ＳＰＴＳ分離装置は、ＶＯＤ(Video On Demand)放送、公衆波放送及び衛星放送のうち少なくとも一つを受信するＯＬＴ(Optical Line Termination)の一部であること
を特徴とする請求項８に記載のＭＰＴＳ−ＳＰＴＳ分離装置。
【請求項１３】
前記使用者インタフェース部は、一般的なコンピュータのＣＲＴモニター及びＬＣＤ(Liquid Crystal Display)のうち何れか一つを含むこと
を特徴とする請求項８に記載のＭＰＴＳ−ＳＰＴＳ分離装置。
【請求項１４】
前記ＭＰＴＳ−ＳＰＴＳ分離装置は、集積回路を用いて具現化（implemented）されること
を特徴とする請求項１に記載のＭＰＴＳ−ＳＰＴＳ分離装置。
【請求項１５】
前記ＭＰＴＳ−ＳＰＴＳ分離部は、ＦＰＧＡ(Field Programmable Gate Array)を用いて具現化（implemented）されること
を特徴とする請求項１に記載のＭＰＴＳ−ＳＰＴＳ分離装置。
【請求項１６】
前記ＭＰＴＳ−ＳＰＴＳ分離装置は、有線ケーブルシステムのケーブルテレビ放送局に設置されること
を特徴とする請求項１に記載のＭＰＴＳ−ＳＰＴＳ分離装置。
【請求項１７】
前記ＭＰＴＳ−ＳＰＴＳ分離装置は、ＡＯＮ(Active Optical Network)のＯＬＴ(Optical Line Termination)に設置されること
を特徴とする請求項１に記載のＭＰＴＳ−ＳＰＴＳ分離装置。
【請求項１８】
前記除去されるパケットは、ビデオ、オーディオ又はデータパケットであること
を特徴とする請求項１に記載のＭＰＴＳ−ＳＰＴＳ分離装置。
【請求項１９】
前記ＭＰＴＳ−ＳＰＴＳ分離装置は、ＶＯＤ(Video On Demand)放送、公衆波放送及び衛星放送のうち少なくとも一つを受信するＣＡＴＶ(Cable Television)放送局の一部であること
を特徴とする請求項１に記載のＭＰＴＳ−ＳＰＴＳ分離装置。
【請求項２０】
前記ＭＰＴＳ−ＳＰＴＳ分離装置は、ＶＯＤ(Video On Demand)放送、公衆波放送及び衛星放送のうち少なくとも一つを受信するＯＬＴ(Optical Line Termination)の一部であること
を特徴とする請求項１に記載のＭＰＴＳ−ＳＰＴＳ分離装置。
【発明の詳細な説明】
【技術分野】
【０００１】
本発明は、デジタル放送サービスを提供するためのデジタル放送システムに関し、特にデジタル放送システムでのＭＰＴＳ処理に関する。
【背景技術】
【０００２】
従来のアナログ放送はノイズ(Noise)、ゴースト(Ghost)などによる画質の劣化、放送周波数資源の非効率的な使用、統合データのサービス不可といった短所があり、高画質／高品質に対する消費者の要求が増大するにつれて、これを充足させるデジタル放送技術が急速に発展した。
【０００３】
デジタル放送の場合、ビデオ／オーディオ・データの伝送時にＭＰＥＧ−２ ＴＳ(Transport Stream)を使用することにより、多くのチャンネルの放送を既存の伝送媒体を通して伝送できる点が、最も重要な利点のうちの一つに挙げられる。
【０００４】
例えば、韓国の地上波放送の既存のアナログ放送は米国のＮＴＳＣ(National Television Systems Committee)規格に応じるＶＳＢ(Vestigial Sideband)方式を使用し、デジタル放送は、米国のＡＴＳＣ (Advanced Television Systems Committee)に応じる８−ＶＳＢ方式を使用している。前記二つの方式は、１つの物理的なチャンネルで６ＭＨｚのＲＦスペクトル帯域を使用する点では同じである。しかしながら、前者はＳＤ(Standard Definition)級のテレビ信号を一つだけ乗せられるが、後者は、４〜６個のＳＤ級のテレビ信号又は１つのＨＤ(High Definition)級のテレビ信号を乗せることができ、その上、付加的にデータ放送のための追加データを乗せることもできる。
【０００５】
かかるデジタル放送の場合、放送データは、ケーブル網に適合するように多数の放送チャンネルがＭＰＴＳ(Multiple Program Transport Stream)にフォーマットされて伝送され、このときにＭＰＥＧ−２標準に応じてマルチメディアデータをＴＤＭ(Time Division Multiplexing)方式にて伝送する。
【０００６】
このように生成されたＭＰＴＳ(Multi-Program Transport Stream)は、そのデータ量がプログラムの数に比例して増加し、これをケーブルや光ファイバなどの有線媒体を用いて伝送する場合には、大量の帯域幅を占有するようになる。仮に、加入者がＭＰＴＳ内のすべてのプログラムを必要とする場合はさておき、ただ一つのプログラムが必要な場合には、その何倍もの帯域幅が浪費される結果になる。従って、このような場合には、当該加入者に対して、１つのプログラムを含むＳＰＴＳ(Single-Program Transport Stream)を提供する必要がある。この点、従来のデジタル放送装備のうちの再多重化器(Remux)は、ＭＰＴＳからＳＰＴＳを分離することができるが、装備の価格が高く、実際のデジタルケーブル放送で約数十〜数百のチャンネルを収容する場合には経済的に実現できない問題点がある。
【発明の開示】
【発明が解決しようとする課題】
【０００７】
従って、本発明は、不要な帯域幅の浪費を無くし、高価の放送装備を使用せずに小規模のＳＯ(System Operator)やＯＮＵ(Optical Network Unit)でＭＰＴＳからＳＰＴＳを分離できるＭＰＴＳ−ＳＰＴＳ分離装置を提供することを目的とする。
【課題を解決するための手段】
【０００８】
上記目的を達成するために、本発明は、デジタル放送システムでのＭＰＴＳ−ＳＰＴＳ分離装置において、デジタル放送のプログラム・プロバイダから供給される複数のプログラムが統合されたＭＰＥＧ−２ ＭＰＴＳ(Multiple Program Transport Streams)を受信する受信インタフェース部と、前記受信インタフェース部から供給されるＭＰＥＧ−２ ＭＰＴＳデータからＰＡＴパケットを検出し、ＭＰＥＧ−２ ＭＰＴＳパケット内に存在する複数のプログラムに該当するＰＭＴのＰＩＤ(Program ID)を解析し、使用者により選択された１つのプログラム情報を受信し、前記選択されたプログラムを除いた他のすべてのプログラムに関するパケットを除去し、前記ＰＡＴから選択されたプログラムに関するＰＭＴのＰＩＤのみを残して他のプログラムに関するＰＩＤを削除することによりＰＡＴを変更し、前記選択された１つのプログラムに対応するストリームに挿入するＭＰＴＳ−ＳＰＴＳ分離部と、前記ＭＰＴＳ−ＳＰＴＳ分離部から出力されるＳＰＴＳを送信する送信インタフェース部とを含む。
【発明の効果】
【０００９】
本発明のＭＰＴＳ−ＳＰＴＳ分離装置によれば、小規模の放送再伝送業者やＯＮＵのために使用されて、再多重化器の使用により莫大な予算の浪費及び不要な回線が帯域幅を占有することによる追加的な損失を防止することが可能となる。また、ハードウェアとしては低価のＦＰＧＡ(Field Programmable Gate Array)だけでも十分であり、プロセッサー及びソフトウェア的なデータ処理を行う必要が無くなるため、多数のプログラムから１つのプログラムを効率的に分離することが可能となる。
【発明を実施するための最良の形態】
【００１０】
以下、本発明の好ましい実施形態を、添付図面を参照しつつ詳細に説明する。尚、本発明を説明するに際して、関連した公知機能又は構成に対する具体的な説明が本発明の要旨を曖昧にすると判断される場合にはその詳細な説明を省くことにする。
【００１１】
図１及び図２は本発明が適用される放送伝送システムの構成図であり、図１は有線ケーブルシステムのブロック構成図で、図２はＡＯＮ(Active Optical Network)のブロック構成図である。
【００１２】
図１を参照すると、有線ケーブルシステムは、プログラム・プロバイダ(ＰＰ：Program Provider)２、デジタルメディアセンター(ＤＭＣ：Digital Media Center)４、ケーブルテレビ放送局(ＳＯ：System Operator)６及び多数の加入者(図示せず)から構成される。プログラム・プロバイダ２は、総合有線放送(ＣＡＴＶ：Cable Television)事業者に放送プログラムを供給するサービスプロバイダを意味し、通信衛星を利用してチャンネル単位で専門プログラムを供給することができる。ＶＯＤ(Video On Demand)放送、公衆波放送、衛星放送などがプログラム・プロバイダ２により提供される。デジタルメディアセンター４は、デジタル放送装備が集中した大規模のデジタル送出センターで、プログラム・プロバイダ２からのプログラムを多数のケーブルテレビ放送局にデジタル放送する。図１ではデジタルメディアセンター４に１つのケーブルテレビ放送局が連結されているが、各地域別に設置される複数のケーブルテレビ放送局を連結することもできる。ケーブルテレビ放送局は、デジタルメディアセンター４からプログラムチャンネルを受信して各ケーブルテレビの加入者に提供する。
【００１３】
図２を参照すると、ＡＯＮは、多数のＯＮＵ(Optical Network Unit)１６がそれぞれ自機だけの光ファイバによりＯＬＴ(Optical Line Termination)１４を共有する多数の点対点(Point to Point)連結から構成されている。前記光加入者網でデジタル放送サービスを提供するために、ＯＬＴ１４は、放送事業・プロバイダ１２から伝達されたデジタル放送データを電光変換した後に１つの光信号に統合してそれぞれのＯＮＵ１６に伝送する。ＯＮＵ１６は、ＯＬＴ１４から伝送された情報を加入者に伝達する。
【００１４】
本発明のＭＰＴＳ−ＳＰＴＳ分離装置は、ケーブルテレビ放送局６及びＯＬＴ１４に設置されて多数のプログラムを含むＭＰＴＳを、１つのプログラムを含んでいるＳＰＴＳに変換して、各加入者に必要なプログラムのみを提供することができる。即ち、本発明は、小規模のＳＯ(System Operator)やＯＮＵ(Optical Network Unit)に適用可能である。以下、本発明によるＭＰＴＳ−ＳＰＴＳ分離装置に対して詳細に説明する。
【００１５】
図３は本発明の望ましい実施形態によるＭＰＴＳ−ＳＰＴＳ分離装置のブロック構成図である。図３を参照すると、ＭＰＴＳ−ＳＰＴＳ分離装置１００は、受信インタフェース部(Rx Interface)１１０と、ＭＰＴＳ−ＳＰＴＳ分離部１２０と、使用者インタフェース部１３０と、送信インタフェース部(Tx Interface)１４０とを有する。受信インタフェース部１１０は、ＡＳＩ入力を受信する。ここで、ＡＳＩ入力とは、ＤＶＢ−ＡＳＩ(Digital Video Broadcasting−Asynchronous Serial Interface)標準に応じて伝送されたＭＰＥＧ−２ＭＰＴＳ(Multi-Program Transport Stream)データのことである。受信インタフェース部(Rx Interface)１１０は、物理階層の規格に応じてスタッフィング(Stuffing)キャラクターを含み２７０Ｍｂｐｓで伝送されるデータを受信すると、当該キャラクターを除去し、純粋なＭＰＥＧ−２データのみをＭＰＴＳ−ＳＰＴＳ分離部１２０に伝送する。この際に、受信インタフェース部１１０は、当該ＭＰＥＧ−２データを、８ビット並列（８bit parallel）でＭＰＴＳ−ＳＰＴＳ分離部１２０に供給する。
【００１６】
ＭＰＴＳ−ＳＰＴＳ分離部１２０は、低価のＦＰＧＡ(Field Programmable Gate Array)を使用して、単純化されたハードウェア構造を実現することができる。ＭＰＴＳ−ＳＰＴＳ分離部１２０は、ＭＰＥＧ−２ ＭＰＴＳデータからＳＰＴＳ(Single-Program Transport Stream)を分離し、該分離されたＳＰＴＳのＭＰＥＧ−２データを送信インタフェース部(Tx Interface)１４０に伝送する。詳細には、ＭＰＴＳ−ＳＰＴＳ分離部１２０は、受信インタフェース部１１０から供給されるＭＰＥＧ−２ ＭＰＴＳデータ内のＰＡＴ(Program Association Table)パケットを検出し、ＭＰＥＧ−２ ＭＰＴＳパケット内に存在する複数のプログラムに該当するＰＭＴのＰＩＤ(Program ID)を解析する。ＭＰＴＳ−ＳＰＴＳ分離部１２０は、使用者により選択された１つのプログラム情報を受信し、当該選択されたプログラムを除いた他のすべてのプログラムに関するパケットを除去する。そして、ＭＰＴＳ−ＳＰＴＳ分離部１２０は、前記のＰＡＴにつき、当該選択されたプログラムに関するＰＭＴのＰＩＤのみを残して他のプログラムに関するＰＩＤを削除することによりＰＡＴを変更して、該変更したＰＡＴを、前記選択された１つのプログラムに対応するストリームに挿入する。この際に、ＭＰＴＳ−ＳＰＴＳ分離部１２０は、８ビット並列でＭＰＥＧ−２データを送信インタフェース部１４０に供給する。送信インタフェース部１４０は、当該ＭＰＥＧ−２データを、他の放送装備との連動のための規格に合わせて、物理階層に乗せて（on a physical layar）、ＤＶＤ−ＡＳＩデータとして出力する。そして、ＭＰＴＳ−ＳＰＴＳ分離部１２０は、使用者がプログラムを選択できるように、使用者インタフェース部１３０とＵＡＲＴ(Universal Asynchronous Receiver／Transmitter)を通じて信号を交換する。使用者インタフェース部１３０は、使用者がＭＰＴＳに含まれた複数のプログラムのうち１つのプログラムを選択することを許可する。従って、使用者インタフェース部１３０は、ＧＵＩ(Graphic User Interface)であることが望ましい。
【００１７】
図４は本発明の望ましい実施形態によるＭＰＴＳ−ＳＰＴＳ分離部を示したブロック構成図である。図４を参照すると、ＭＰＴＳ−ＳＰＴＳ分離部１２０は、ＰＡＴ抽出／パース部(PAT Extractor／parser)１２１と、ＰＭＴ抽出／パース部(PMT Extractor／parser)１２２と、ＰＭＴフィルタリング／選択部(PMT Filter／Selector)１２３と、パケット終端部(Packet Terminator)１２４と、ＰＡＴ挿入部１２５とを備える。ＰＡＴ抽出／パース部１２１は、図３の受信インタフェース部１１０から、１つのパケットが１８８バイトからなるＭＰＴＳパケットを受信する。このＭＰＴＳパケットのうち、１８４バイトの有料負荷(payload)を除いた４バイトのオーバーヘッド部分（overhead section）を、図５に示している。
【００１８】
図５に示すように、ＭＰＴＳパケットのオーバーヘッド２００は、ストリームのランダムアクセスのために使用されるシンクバイト(sync byte)２０１と、伝送エラーインジケータ(transport error indicator)２０２と、有料負荷ユニット開始インジケータ(payload unit start indicator)２０３と、伝送優先順位(transport priority)２０４と、パケットＩＤ(ＰＩＤ：Packet ID)２０５と、伝送スクランブリング制御(transport scrambling control)２０６と、アダプテーションフィールド制御２０７と、連続性カウンタ(continuity counter)２０８と、アダプテーションフィールド(adaptation field)２０９とを含む。１８８バイトのＭＰＥＧ−２パケットの有料負荷にどのようなデータが入ったかは、パケット識別子である１３ビットのＰＩＤ(Packet Identification)２０５により把握することができる。
【００１９】
ＭＰＥＧ−２パケットは、国際標準に応じてＰＳＩ(Program Specific Information)を含んでいる。従来のアナログ放送はチューナーで選局するだけで受信が可能であったが、ＭＰＥＧ−２放送では、チューナーの選局と分離部でのパケット指定という二つの操作により受信が可能になる。ＰＳＩは、視聴者が希望するチャンネルを選択するのに必要な情報を提供する。このＰＳＩは、ＰＡＴ(Program Association Table)、ＰＭＴ(Program Map Table)、ＮＩＴ(Network Information Table)、ＣＡＴ(Conditional Access Table)などを含んでいる。ＰＡＴ抽出／パース部１２１は、ＭＰＥＧ−２ ＭＰＴＳデータからＰＡＴパケットを検出する。ＰＡＴ抽出／パース部１２１は、ＭＰＴＳパケットのオーバーヘッド２００でＰＩＤ(Packet Identification)２０５を参照してＰＡＴパケットであるかどうかを識別する。例えば、ＰＩＤ(Packet Identification)２０５が０ｘ００である場合に、ＰＡＴパケットと識別される。
【００２０】
そして、ＰＡＴ抽出／パース部１２１は、ＭＰＥＧ−２ ＭＰＴＳパケットの解析結果を、ＰＭＴ抽出／パース部１２２に供給し、さらに、ＭＰＥＧ−２パケットについての情報を表示するために、使用者インタフェース部１３０にも供給する。ＰＡＴにはＭＰＴＳに含まれたプログラムの数についての情報とそれぞれのプログラムの基準になるＰＭＴのＰＩＤについての情報が入っているので、使用者は使用者インタフェース部１３０に表示された複数のプログラムのうち何れか一つを選択することができる。すなわち、そのような情報は、使用者が複数のプログラムのうち一つを選択することを可能にするために、使用者インタフェース部１３０に表示される。使用者インタフェース部１３０は、ＰＡＴ抽出／パース部１２１に対して、ＵＡＲＴ(Universal Asynchronous Receiver Transmitter)又はＲＳ−２３２などにより接続されている。この使用者インタフェース部１３０は、ＭＰＥＧ−２パケットに対する情報を表示できる装置ならばどのようなものでも良く、例えば一般的なコンピュータ（パソコン）のＣＲＴモニター、或いはＬＣＤ(Liquid crystal display)を用いることが可能である。
【００２１】
ＰＭＴ抽出／パース部１２２は、ＭＰＥＧ−２ ＭＰＴＳパケット内に存在する複数のプログラムに該当するＰＭＴのＰＩＤ(Program ID)を解析してＰＭＴフィルタリング／選択部１２３に供給する。ＰＭＴフィルタリング／選択部１２３は、使用者が選択した一の（単一の）プログラム情報を使用者インタフェース部１３０を通じて受信する。ＰＭＴには該当プログラムに当たるビデオ、オーディオ、データパケットなどのＰＩＤ(Program ID)値が含まれている。また、ＰＭＴフィルタリング／選択部１２３は、使用者インタフェース部１３０で使用者により選択されたプログラムに属するＰＩＤを参照して、当該選択されたプログラム以外の全てのプログラムに関するパケットを除去するようにパケット終端部１２４を制御する。パケット終端部(Packet Terminator)１２４は、選択されなかったプログラムに対応するパケットをフィルタリングしてから、当該選択された単一のプログラムに対応するストリームをＰＡＴ挿入部１２５に供給する。ＰＡＴ挿入部１２５は、ＰＳＩに含まれたＰＡＴテーブルから、選択されたプログラムに関するＰＭＴのＰＩＤのみを残して、他のプログラムに関するＰＩＤを全部削除することによって、当該ＰＡＴを変更する。そして、ＰＡＴ挿入部１２５は、このように変更されたＰＡＴを、当該選択された単一のプログラムに対応するストリームに挿入する。
【００２２】
なお、本発明の他の実施形態において、複数のプログラムを持つＭＰＴＳ ＭＰＥＧ−２データから一つ以上のＳＰＴＳを分離する場合に、上記実施形態によるＭＰＴＳ−ＳＰＴＳ分離装置１００を複数具備する構成とすれば良いことは、当業者にとって明白なことである。
【００２３】
急速に変化し発展するデジタル放送及びＶＯＤ(Video On Demand)サービス市場で、ＭＰＥＧ−２システム標準の長所を生かしたＭＰＴＳフォーマットで、大量のコンテンツが製作されている。ＭＰＴＳは、ＳＰＴＳに比べて本質的にファイルサイズが大きいため、データの格納容量及び伝送帯域の浪費をもたらす。しかしながら、当該ＭＰＴＳを再びＳＰＴＳから分離させる放送装備である再多重化器は非常に高価なので、ＳＯや中継有線業者、又は加入者端のＯＮＵなどで利用することは事実上不可能であり、多様な消費者の好みに合わせるために多チャンネル化しているデジタル放送の現在の趨勢を考えると、このことはさらに明白になる。従って、本発明によるＭＰＴＳ−ＳＰＴＳ分離装置は、前述した小規模の放送再伝送業者やＯＮＵのために使用され、再多重化器の使用による莫大な予算の浪費、及び不要な回線が帯域幅を占有することによる追加的な損失を防止することが可能となる。
【００２４】
技術的な側面では、従来の再多重化器の場合には、ペンティアム(登録商標)級のプロセッサーや複雑なネットワーク専用のプロセッサーを使用し、ソフトウェアを用いたデータ処理による不要な時間遅延及び単価上昇が不可避であった。これに対して、本発明によるＭＰＴＳ−ＳＰＴＳでは、必要なハードウェアとしては低価のＦＰＧＡ(Field Programmable Gate Array)だけでも十分であり、プロセッサー及びソフトウェア的なデータ処理を行う必要が無くなるため、時間遅延無しに多数のプログラムから１つのプログラムを効率的に分離することが可能となる。
【００２５】
以上、本発明を具体的な実施形態により説明してきたが、本発明の思想を外れない範囲内で様々な置換、変形及び変更が可能であることは当業者にとって自明であり、従って、本発明の範囲は前述した実施形態及び添付図面により限定されることはない。
【図面の簡単な説明】
【００２６】
【図１】本発明が適用される放送伝送システムの構成図であって、有線ケーブルシステムのブロック構成図である。
【図２】本発明が適用される放送伝送システムの構成図であって、ＡＯＮのブロック構成図である。
【図３】本発明の望ましい実施形態によるＭＰＴＳ−ＳＰＴＳ分離装置のブロック構成図である。
【図４】本発明の望ましい実施形態によるＭＰＴＳ−ＳＰＴＳ分離部のブロック構成図である。
【図５】ＭＰＥＧ−２ ＭＰＴＳパケットのオーバーヘッドを示した図である。
【符号の説明】
【００２７】
２  プログラム・プロバイダ
４  デジタルメディアセンター
６  ケーブルテレビ放送局
１６  ＯＮＵ(Optical Network Unit)
１４  ＯＬＴ(Optical Line Termination)
１００  ＭＰＴＳ−ＳＰＴＳ分離装置
１１０  受信インタフェース部
１２０  ＭＰＴＳ−ＳＰＴＳ分離部
１２１  ＰＡＴ抽出／パース部(PAT Extractor／parser)
１２２  ＰＭＴ抽出／パース部(PMT Extractor／parser)
１２３  ＰＭＴフィルタリング／選択部(PMT Filter／Selector)
１２４  パケット終端部(Packet Terminator)
１２５  ＰＡＴ挿入部
１３０  使用者インタフェース部
１４０  送信インタフェース部
【図１】
2005057762.tif 000003
【図２】
2005057762.tif 000004
【図３】
2005057762.tif 000005
【図４】
2005057762.tif 000006
【図５】
2005057762.tif 000007